(57)【要約】【課題】  繰り返し使用でき、ドライアイスを使用しなくても、夏場や梅雨時であっても遺体が傷みにくく、ＣＯ２が発生しない二重棺を提供する。【解決手段】  細長箱状の外棺と、外棺内に収容可能は内棺を備えた二重棺であり、外棺は上方に内棺を出し入れ可能な広さの開口部があり、その開口部を開閉可能な蓋を備え、長手方向頭部側面に内棺を出し入れ可能なサイズの内棺出口があり、外棺の少なくとも底面には外棺内に収容した内棺の移動を容易にするガイドがあり、外棺の内面と底面、内棺の内面と外面のいずれか一面又は二以上の面に断熱シートが貼られており、外棺は繰り返し使用可能な強度であり、表面に装飾が施されたものであり、内棺は焼却可能な材質製であり、外棺と内棺の双方又は内棺に内部の遺体を外から見ることのできるお別れ窓を設けてある。【選択図】    図２
2018068641.tif 000002
【特許請求の範囲】
【請求項１】
細長箱状の外棺と、外棺の収容空間内に収容可能は外径サイズであり内部に遺体を収容可能な内径サイズの内棺を備えた二重棺であり、
外棺は上方に内棺を出し入れ可能な広さの開口部があり、その開口部を開閉可能な蓋を備え、長手方向頭部側面に内棺を出し入れ可能なサイズの内棺出口があり、
外棺の少なくとも底面には外棺内に収容した内棺の移動を容易にするガイドがあり、
外棺の内面と底面、内棺の内面と外面のいずれか一面又は二以上の面に断熱シートが貼られており、
外棺は繰り返し使用可能な強度であり、表面に装飾が施されたものであり、
内棺は焼却可能な材質製であり、外棺と内棺の双方又は内棺に内部の遺体を外から見ることのできるお別れ窓を設けたものである、
ことを特徴とする二重棺。
【請求項２】
請求項１記載の二重棺において、
外棺の長手方向足部側面に、内棺を押すことができる押し口を備えた、
ことを特徴とする二重棺。
【請求項３】
請求項１又は請求項２記載の二重棺において、
外棺と内棺の双方又はいずれか一方の内面に、保冷剤を収容可能な保冷剤収容部を備えた、
ことを特徴とする二重棺。
【発明の詳細な説明】
【技術分野】
【０００１】
本発明は棺に関するものである。
【背景技術】
【０００２】
棺には各種構造、材質のものがある。近年は、持ち運びに便利な折り畳み式（組み立て式）の棺（特許文献１）、安価で経済的な段ボール製の棺（特許文献２）、内箱と外箱の二重にして内箱だけを遺体と共に火葬し、外箱は繰り返し使用可能とした二重棺（特許文献３）等がある。
【先行技術文献】
【特許文献】
【０００３】
【特許文献１】特開２０１５−１０９８９７号公報
【特許文献２】特開２０１５−０２９８１３号公報
【特許文献３】特開２０１４−２１００８６号公報
【０００４】
日本には毎年１１０万人以上の死者がいる。２０年後には１８０万人程度になると予想される。死体（遺体）は死後、火葬までの間、棺に入れておくのが通常である。遺体は夏場とか梅雨時には腐敗し易いため、遺体を入れた棺内にドライアイスを入れているのが一般的である。室内暖房が行われている今日では、冬場であってもドライアイスが使用されている。しかも一遺体に２回、３回と追加使用されている現状では、ドライアイスのトータル使用量は膨大になる。一遺体一日当たり１０ｋｇも使用している。ドライアイスの成分は二酸化炭素（ＣＯ２）であるため、気体に昇華してＣＯ２が大気中に飛散し、地球温暖化の一因となっている。このため、遺体へのドライアイスの使用は早期に停止するのが望ましい。
【発明の概要】
【発明が解決しようとする課題】
【０００５】
本発明は繰り返し使用でき、ドライアイスを使用しなくても、夏場や梅雨時であっても、また室内暖房中であっても遺体が傷みにくく、ＣＯ２が発生しない二重棺を提供することにある。
【課題を解決するための手段】
【０００６】
本発明の二重棺は、細長箱状の外棺と、外棺の収容空間内に収容可能は外径サイズであり内部に遺体を収容可能な内径サイズの内棺を備えた二重棺であり、外棺は上方に内棺を出し入れ可能な広さの開口部があり、その開口部を開閉可能な蓋を備え、長手方向頭部側面に内棺を出し入れ可能なサイズの内棺出口があり、内棺出口は戸で開閉可能であり、外棺の少なくとも底面には外棺内に収容した内棺の移動を容易にするガイドがあり、外棺の内面と底面、内棺の内面と外面のいずれか一面又は二以上の面に断熱シートが貼られており、外棺は繰り返し使用可能な強度であり、表面に装飾が施されたものであり、内棺は焼却可能な材質製であり、外棺と内棺の双方又は内棺に内部の遺体を外から見ることのできる窓（通称、お別れ窓）を設けたものである。お別れ窓は開閉式であってもよくと透視可能な窓であってもよい。
【０００７】
外棺は木製或いは樹脂製とすることができる。装飾は彫刻とか布貼り等で施すことができる。外棺の長手方向足部側面に内棺を内棺出口から押し出すための押し口を設けることもでき、その押し口は戸で開閉可能とすることができる。外棺と内棺の双方又はいずれか一方の内面に保冷剤を収容可能な保冷剤収容部を設けるのが望ましい。
【発明の効果】
【０００８】
外棺と内棺の二重棺であるため、内棺だけを焼却し、外棺は繰り返し使用可能とすることができ、経済的である。
【０００９】
外棺の内面と底面、内棺の内面と外面のいずれか一面又は二以上の面にシート状の断熱材があるため外棺内への外部からの暖気の侵入を防止でき、内棺内に保冷剤を入れて遺体を冷却した場合の冷気が外棺の外に出にくくなり、内棺内と外棺内の双方の冷却効果が高まり、遺体が傷みにくくなる。
【００１０】
外棺と内棺の双方又はいずれか一方の内面の保冷剤収容部内に保冷剤を入れれば、外棺内をも冷却することができ、内棺内の遺体がより一層傷みにくくなる。また、ドライアイスを使用しないためＣＯ２が発生しない。
【００１１】
外棺の長手方向頭部側面に内棺を出し入れ可能な内棺出口があるため、内棺を内棺出口から押し出して、焼却場の火葬炉に入れ易くなる。
【００１２】
内棺にお別れ窓があるため、外棺の蓋或いは窓を開けば内棺内の遺体とお別れの対面ができる。
【００１３】
外棺に押し口を設ければ、押し口から外棺内の内棺を押して内棺出口から出し易い。
【００１４】
内棺のお別れ窓を透視窓にすれば、二重棺あっても外棺の扉を開くだけで、内棺内の遺体を見ることができる。
【図面の簡単な説明】
【００１５】
【図１】本発明の二重棺の外棺の一例を示す斜視図。
【図２】本発明の二重棺の外棺から内棺を押し出す場合の説明図。
【図３】（ａ）は本発明の二重棺の外棺の長手方向両端面に開閉式の開口部を設けた場合の斜視図、（ｂ）は（ａ）に示す外棺の横断面図。
【図４】（ａ）は本発明の二重棺の外棺の底にローラを敷設した場合の斜視図、（ｂ）は滑り材を敷設した場合の斜視図。
【図５】本発明の二重棺の内棺に遺体を収容した状態の断面図。
【図６】（ａ）は本発明の二重棺の断面図、（ｂ）は保冷剤収容部に保冷剤を収容した場合の断面図。
【図７】（ａ）は本発明の二重棺の内棺に遺体を収容した状態の平面図、（ｂ）は（ａ）の側方断面図。
【図８】本発明の二重棺の内棺の頭部側を透明材製にした場合の部分斜視図。
【発明を実施するための形態】
【００１６】
（実施形態）
本発明の二重棺の実施形態を以下に説明する。細長箱状の外棺１（図１）と、その内部空間に収容可能な内棺２（図２）を備えている。
【００１７】
［外棺］
外棺１は既存の棺と同様に上方開口の箱型（図１）であり、縦向きにしてエレベータに載せることできるサイズにするのが望ましい。外棺１の内部は内棺２を収容可能な広さの収容部にしてある。外棺１の上方開口部３（図１）は蓋４（図１）で開閉可能としてある。図１の蓋４は上方開口部３に被せるものであるが、蓋４は蝶番により開閉可能としたもの、その他の構造とすることができる。
【００１８】
外棺１の長手方向頭部側面には内棺出口５がある（図１）。内棺出口５は内棺２を押し出し可能な広さである。内棺出口５は戸６（図３（ａ））で開閉可能である。戸６は図３（ａ）のような嵌め込み式、図示しない開き戸といった各種形態とすることができる。外棺１の長手方向足部側面には押し口７（図３（ａ））を設けることもできる。押し口７は外棺１内の内棺２を押し出すための口である。押し口７は戸８（図３（ａ））で開閉可能としてある。
【００１９】
外棺１の少なくとも底面にはガイド９がある（図４（ａ）（ｂ））。ガイド９は外棺１内の内棺２を内棺出口５から押し出し易くするためのものであり、多数本のローラ１０を外棺１の底面の長手方向に回転可能に配置したもの（図４（ａ））とか、樹脂製のテープ状の滑り材１１を底面の長手方向に貼り付けたもの（図４（ｂ））等である。ガイド９と押し口７を設けることにより、外棺１内の内棺２を押し口８から押して内棺出口５から押し出し易くなる。
【００２０】
外棺１は繰り返し使用可能な強度であり、耐久性のある材質製が適する。例えば、木製或いは樹脂製が適する。外棺１の表面には彫刻を施すとか、織物や刺繍された飾り布等を貼り付けるとか、経文、梵字、極楽の絵等が表示されたありがたさ感じさせる装飾が望ましい。彫刻が施されたり、飾り布が貼り付けられたりしたものは豪華に見えて見栄えが良くなる。経文、梵字、極楽の絵等が表示されたものは、供養が良く行き届いたように見えてありがたみがある。
【００２１】
外棺１の内面および底面には断熱シート１２（図６（ａ））を貼って、外気、内気を遮断できるようにしておくのが望ましい。外棺１の内面であって断熱シート１２の内側には、保冷剤収容部１３（図６（ｂ））を設けて保冷剤１４を収容できるようにしておくのが望ましい。保冷剤収容部１３は袋状、ポケット状、箱状といった任意の形状、サイズとすることができる。断熱シートは内棺の外面と内面の少なくともいずれか一方にも設けることができる。
【００２２】
蓋４にはお別れ窓（開口部）がある。このお別れ窓は扉１５（図１）で開閉可能である。お別れ窓は他の形状であってもよい。例えば、蓋４の頭部側を蝶番とかその他の治具で蓋本体に開閉可能に取り付けたもの等であってもよい。その場合は、扉１５もその下の開口部も不要である。
【００２３】
［内棺］
内棺２は内部に遺体１６（図５、図７（ａ）（ｂ））を収容でき、外棺１内に収容可能なサイズの箱状であり、焼却可能な材質、例えば、段ボールやベニヤ板といった軽量で安価な材質製が適する。内棺２は収容した遺体１６の位置ずれを防止できる位置ずれ防止具１７を設けるのが望ましい。遺体１６を収容した内棺２を外棺１内に入れて、外棺１を縦向きにしても遺体１６が位置ずれしない形状、構造にし、位置ずれを防止し易い位置に設けるのが望ましい。一例として図７（ａ）（ｂ）に示すものは内棺２の底面から上方に数本の突起を立てておき、それら突起に内棺２内に収容した遺体１６の脇の下、股の下等を係止させることができるようにしてある。
【００２４】
内棺２には収容した遺体１６を外から見ることのできるお別れ窓１８を設けておく。内棺２のお別れ窓１８は図８のように内棺２の一部を透明にして外部から透視できるようにしたものとか、扉で開閉可能な窓であってもよい。この場合、外棺１の蓋４の一部４ａ（図８）も透明にしておくと背の低い人や子供でも外棺１の外から遺体１６を見易くなる。
【００２５】
［保冷剤］
保冷剤１４は冷凍庫に入れて冷却（冷凍）して繰り返し使用可能であり、他の遺体に使い回しできるため経済的である。ちなみに、昨今の冷凍庫は−６０℃程度の冷凍が可能である。保冷剤１４は例えば図５に示すように遺体１６の上に載せることができるように湾曲しているものとか、他の形状、サイズのものを使用することができる。
【産業上の利用可能性】
【００２６】
前記した実施形態はあくまでも一例であり、本発明の課題を達成できれば他の形状、構造、配置等とすることができる。
【符号の説明】
【００２７】
１    外棺
２    内棺
３    上方開口部
４    蓋
４ａ  （蓋の）一部
５    内棺出口
６    （内棺出口の）戸
７    押し口
８    （押し口の）戸
９    ガイド
１０  ローラ
１１  滑り材
１２  断熱シート
１３  保冷剤収容部
１４  保冷剤
１５  （外棺のお別れ窓の）扉
１６  遺体
１７  位置ずれ防止具
１８  （内棺の）お別れ窓
【図１】
2018068641.tif 000003
【図２】
2018068641.tif 000004
【図３】
2018068641.tif 000005
【図４】
2018068641.tif 000006
【図５】
2018068641.tif 000007
【図６】
2018068641.tif 000008
【図７】
2018068641.tif 000009
【図８】
2018068641.tif 000010